(57)【要約】【課題】落下等により外部から与えられる衝撃力を吸収、緩和して化粧料のひび割れや破損を抑制することが可能な化粧料容器を提供する。【解決手段】化粧料Ｃを充填する中皿５と、底部１ａ及び側壁部１ｂにより形成される区画凹所Ｍに中皿５を収容する容器本体１と、容器本体１の区画凹所Ｍを覆う蓋体３と、中皿５の側壁５ｂの外周面を全周にわたって取囲み、容器本体１の側壁部１ｂと弾性的に当接するチューブ状部材９と、を備える。【選択図】図１
2015008828.tif 000002
【特許請求の範囲】
【請求項１】
化粧料を充填する中皿と、
底部及び側壁部により形成される区画凹所に前記中皿を収容する容器本体と、
前記容器本体の区画凹所を覆う蓋体と、
前記中皿の側壁の外周面を全周にわたって取囲み、前記容器本体の側壁部と弾性的に当接するチューブ状部材と、を備える化粧料容器。
【請求項２】
前記チューブ状部材は、その両端の開口部同士を、該開口部に内側或いは外側から嵌着される連結部材により連結されてなる、請求項１に記載の化粧料容器。
【請求項３】
前記チューブ状部材は、前記連結部材により連結された連結部を覆う被覆部材を有する、請求項２に記載の化粧料容器。
【請求項４】
前記容器本体の底部と前記中皿の底壁との間に緩衝部材を配置してなる、請求項１〜３のいずれか一項に記載の化粧料容器。
【請求項５】
前記緩衝部材が、可撓性を有するチューブ状部材である、請求項４に記載の化粧料容器。
【発明の詳細な説明】
【技術分野】
【０００１】
本発明は、ファンデーションやアイシャドー等の化粧料を入れるのに適した化粧料容器に関するものである。
【背景技術】
【０００２】
コンパクトに代表される化粧料容器は、容器本体に形成された区画凹所に、化粧料が充填された中皿が配置され、凹所を開閉可能な蓋体で覆っているものが知られている。そのような化粧料容器にあっては、化粧料を使い切った後、中皿を取り外して化粧料の充填された新しい中皿と取り替えることによって、容器を再利用し資源の有効活用を図るようにしている。
【０００３】
ところで、この種の化粧料容器においては、該化粧料容器を誤って落下させてしまった際に衝撃力により化粧料がひび割れたり破損したりすることがある。かかる不具合を解消するために、容器本体の中皿を収容する凹所に、可撓性緩衝材を介装し、外部の衝撃から中皿内の化粧料を保護するようにしたものが提案されている（例えば、特許文献１参照）。
【先行技術文献】
【特許文献】
【０００４】
【特許文献１】特開２０１０−１７８８９８号公報
【発明の概要】
【発明が解決しようとする課題】
【０００５】
しかしながら、上記のような化粧料容器においてもなお、外部からの衝撃力を吸収する効果は十分とはいえず、さらなる改善が求められている。
【０００６】
それゆえ本発明は、落下等により外部から与えられる衝撃力を吸収、緩和して化粧料のひび割れや破損を抑制することが可能な化粧料容器を提供することを目的とする。
【課題を解決するための手段】
【０００７】
本発明は、上記課題を解決するためになされたものであり、本発明の化粧料容器は、化粧料を充填する中皿と、底部及び側壁部により形成される区画凹所に前記中皿を収容する容器本体と、前記容器本体の区画凹所を覆う蓋体と、前記中皿の側壁の外周面を全周にわたって取囲み、前記容器本体の側壁部と弾性的に当接するチューブ状部材と、を備えることを特徴とする。
【０００８】
また、本発明の化粧料容器にあっては、前記チューブ状部材は、その両端の開口部同士を、該開口部に内側或いは外側から嵌着される連結部材により連結されてなることが好ましい。
【０００９】
また、本発明の化粧料容器にあっては、前記チューブ状部材は、前記連結部材により連結された連結部を覆う被覆部材を有することが好ましい。
【００１０】
また、本発明の化粧料容器にあっては、前記容器本体の底部と前記中皿の底壁との間に緩衝部材を配置してなることが好ましい。
【００１１】
また、本発明の化粧料容器にあっては、前記緩衝部材が、可撓性を有するチューブ状部材であることが好ましい。
【発明の効果】
【００１２】
本発明によれば、落下等により外部から与えられる衝撃力を吸収、緩和して化粧料のひび割れや破損を抑制することが可能な化粧料容器を提供することが可能となる。
【図面の簡単な説明】
【００１３】
【図１】（ａ）は、本発明の一実施形態に係る化粧料容器の側面側から見た前後方向の断面図であり、（ｂ）は、（ａ）に示す化粧料容器を構成する容器本体の平面図である。
【図２】（ａ）は、図１（ａ）に示す化粧料容器を構成するチューブ状部材の断面図であり、（ｂ）は、他の形態のチューブ状部材を示す部分断面図である。
【図３】図１（ａ）の化粧料容器を構成する中皿を取外した様子を示す図である。
【発明を実施するための形態】
【００１４】
以下に、図面を参照しつつ、本発明の実施の形態について例示説明する。
図１（ａ）に示す符号１は、本実施形態の化粧料容器における容器本体である。容器本体１には、蓋体３が蝶番３ｈを介して回動可能に支持されている。また、容器本体１には中皿５が収容され、当該中皿５を保持するための環状の中枠７が、蓋体３と同軸の蝶番７ｈを介して容器本体１に回動可能に支持されている。
【００１５】
容器本体１は、底部１ａ及び底部１ａから立ち上がる側壁部１ｂにより形成される区画凹所Ｍを有し、該区画凹所Ｍに中皿５を収容する。側壁部１ｂの内面には、チューブ状部材９の上下方向の移動を制限するための凹部１ｃが形成されている。また、容器本体１の前面側には、側壁部１ｂよりも外側で底部１ａから立ち上がる外側壁部１ｄが設けられており外側壁部１ｄの外面には係合部１ｅが形成されている。
【００１６】
また、図１（ｂ）に示すように、容器本体１の底部１ａには、区画凹所Ｍに収容された中皿５を下側から押上げて取外すための舌片１１が形成されている。舌片１１は、底部１ａに形成された開口１ｇ内で、連結片１２を介して底部１ａに、揺動可能に連結されている。なお、本実施形態においては、連結片１２を一点連結としたが、これに限るものではなく三点で連結する等、複数の連結片を設けてもよい。また、中皿５を取外すための構成として、舌片１１の代わりに単に容器本体１の底部１ａに開口を形成し、当該開口を通過する棒材等で中皿５の底壁５ａを押上げる構成としてもよい。
【００１７】
蓋体３は、図１（ａ）に示すように蝶番３ｈを介して回動可能に容器本体１に支持されている。蓋体３は、前方側に設けられた係合部３ａを容器本体１の係合部１ｅに係合させることにより、蓋体３を閉じた状態で保持することができる。また、係合部３ａの係合を解除することで蓋体３を開くことができる。図１（ａ）に示すように、蓋体３は、閉じた状態において、容器本体１の区画凹所Ｍを覆う。また、この例において蓋体３の内面には鏡４が取り付けられている。
【００１８】
中皿５は、底壁５ａ、及びこの底壁５ａの縁部から立ち上がる側壁５ｂから構成されており、その内側には化粧料Ｃを充填する上部解放型の凹所が形成されている。また、この例において中皿５の側壁５ｂの外周面には、凹部５ｃが形成されている。
【００１９】
中枠７は、環状の緩衝部材８を介して中皿５の側壁５ｂの上端に当接することにより、この中皿５を区画凹所Ｍ内に保持しており、これにより誤って中皿５及びチューブ状部材９が外れることを防止している。ここで緩衝部材８は、例えば、スポンジ、エラストマー、ゴム等の軟質材料からなる部材とすることができる。中枠７の前方側には、係合部７ａが設けられている。係合部７ａは、容器本体１の外側壁部１ｄの内面に設けられた中枠係合部１ｆと係合することで、中枠７を閉じた状態に保持することができる。また、図３に示すように係合部７ａの係合を解除して中枠７を開いた状態にすることで、中皿５及びチューブ状部材９を取り出すことが可能となる。
【００２０】
チューブ状部材９は円管状で可撓性を有し、例えば、ゴム、エラストマー、塩化ビニル、シリコン等の軟質材料からなるものとすることができる。チューブ状部材９は、中皿５の側壁５ｂの外周面を全周にわたって取囲むように配置されている。すなわち、チューブ状部材９は、中皿５の側壁５ｂと容器本体１の側壁部１ｂとに弾性的に当接し、それらに挟持されている。これにより中皿５は、前後方向、左右方向を含む水平方向の全周にわたってチューブ状部材９を介して容器本体１の側壁部１ｂに支持される。また、チューブ状部材９は、容器本体１の側壁部１ｂおよび中皿５の側壁５ｂにそれぞれ形成された凹部１ｃ、５ｃによって、上下方向の移動を制限されており、使用中にずれない構成となっている。
【００２１】
図２（ａ）は本実施形態のチューブ状部材９を示しており、チューブ状部材９は、両端の開口部同士を、連結部材１０を用いて連結して環状に形成されている。この例において連結部材１０は、チューブ状部材９の両端の開口部の内側からそれぞれ嵌着され、連結部材１０の外周面がチューブ状部材９の内周面に密着している。このように、チューブ状部材９の内部の空気が外部に漏れないよう両端の開口部を封止連結することで、チューブ状部材９の内部の空気はエアークッションとして働き、衝撃力を吸収する効果をより高めることができる。なお、この例において連結部材１０は、外周面の中央付近にリブ状の凸部を有する円管形状となっており、チューブ状部材９の内部の空気は連結部材１０の空洞部内を移動可能となっている。また、この例においての連結部材１０は、チューブ状部材９の両端の開口部の内側からそれぞれ嵌着されるものであるが、チューブ状部材９の両端の開口部の外側で嵌着させるようにしてもよい。
【００２２】
また、チューブ状部材９における両端の開口部同士の連結部９ａをより確実に封止する観点から、図２（ｂ）に示すように連結部９ａをシュリンクフィルム等の被覆部材Ｆで覆うことが好ましい。なお、図２（ｂ）に示す連結部材１０’は、円管形状を有し外周面の全体がチューブ状部材９に覆われているが、これに限られず、例えば上記のような外面にリブ状凸部を有する連結部材１０としてもよい。
【００２３】
ここで、チューブ状部材９の両端開口部の連結は、上記の方法に限定されず種々の方法が可能であり、例えば、接着剤による接着や、接着テープを外側から巻回して連結することも可能である。
【００２４】
本実施形態において、容器本体１の底部１ａと中皿５の底壁５ａとの間には、上下方向の力を緩衝するために緩衝部材１３が配置されている。すなわち、本実施形態において中皿５は、上側は緩衝部材８を介して中枠７に支持され、下側は緩衝部材１３を介して容器本体１の底部１ａに支持されている。
【００２５】
以上のような構成を有する本実施形態の化粧料容器にあっては、容器の落下等により容器本体１に衝撃力が与えられた場合に、その衝撃力を吸収して中皿５への影響を低減し、化粧料Ｃのひび割れや破損を抑制することができる。より具体的には、中皿５の側壁５ｂの外周面を全周にわたって取囲むように配置されたチューブ状部材９が容器本体１に与えられた衝撃力を吸収、緩和して、中皿５に加わる力を低減することができる。
【００２６】
また、本実施形態の化粧料容器にあっては、中皿５が緩衝部材８及び緩衝部材１３を介して上下方向に保持されていることにより、中皿５に与えられる衝撃力の吸収効果をさらに高めることができる。
【００２７】
また、本実施形態の化粧料容器にあっては、図３に示すように、蓋体３および中枠７を開いた状態で、容器本体１の舌片１１を指等で下側から押し上げることにより、中皿５を取外すことができる。なお、中皿５の交換の際、チューブ状部材９は、図３に示すように容器本体１の区画凹所Ｍに保持される構成としてもよいし、中皿５とチューブ状部材９を一体的に交換する構成としてもよい。
【００２８】
なお、容器本体１の底部１ａと、中皿５の底壁５ａとの間に配置された緩衝部材１３は、ホットメルト接着剤からなる接着層とすることもでき、この場合、接着層によって、容器本体１の底部１ａと中皿５の底壁５ａとが剥離可能に接着される。また、緩衝部材１３は、衝撃吸収可能な所定の厚みを有する発泡体の両面テープとすることも可能である。また、緩衝部材１３は、上記したチューブ状部材９のような、可撓性を有するチューブ状部材とすることも可能であり、この場合、平坦な緩衝部材と比べて、高い衝撃吸収効果を得ることができる。また、この場合にもチューブ状部材の内部の空気が漏れないよう封止されていることが好ましく、これによれば、より衝撃吸収効果を高めることができる。
【００２９】
なお、本実施形態においては、容器本体１に化粧料が充填された中皿５を収容するための１つの区画凹所Ｍが形成された化粧料容器について説明したが、本発明はこれに限られず、複数の区画凹所を有し、化粧用具等を収納することも可能な化粧料容器とすることも可能である。また、中枠７を設けずに、中皿５の側壁上端に係合する爪部等を容器本体に設けることにより中皿を保持する構成とすることも可能である。さらに、化粧料が充填された中皿５と、蓋体３との間にパフ等の化粧用具を収納する構成としても良い。
【産業上の利用可能性】
【００３０】
かくして本発明により、落下等により外部から与えられる衝撃力を吸収、緩和して化粧料のひび割れや破損を抑制することが可能な化粧料容器を提供することが可能となった。
【符号の説明】
【００３１】
１：容器本体
１ａ：底部
１ｂ：側壁部
１ｃ：凹部
１ｄ：外側壁部
１ｅ：係合部
１ｆ：中枠係合部
３：蓋体
３ａ：係合部
４：鏡
５：中皿
５ａ：底壁
５ｂ：側壁
５ｃ：凹部
７：中枠
７ａ：係合部
７ｈ：蝶番
８：緩衝部材
９：チューブ状部材
９ａ：連結部
１０：連結部材
１１：舌片
１２：連結片
１３：緩衝部材
Ｃ：化粧料
Ｆ：被覆部材
Ｍ：区画凹所
【図１】
2015008828.tif 000003
【図２】
2015008828.tif 000004
【図３】
2015008828.tif 000005